(57)【要約】  【課題】  本発明は利用者の眉毛に眉墨を塗布するアイブロウであって、アイブロウに使用する化粧品塗布装置に関し、特に交換可能な化粧品塗布器を提供するものであり、アイブロウに取り付けられている化粧品塗布器とブラシを交換可能とし、複数人で同じアイブロウを使用することを可能とする化粧品塗布装置を提供するものである。【解決手段】  人の肌に塗布する化粧剤が収納された化粧剤収納部と、化粧剤塗布部が先端に設けられ、上記化粧剤収納部に螺着された化粧剤塗布器と、ブラシが先端に設けられ、上記化粧剤収納部に圧入されたブラシ部と、を有する化粧剤塗布装置を特徴とする。【選択図】  図１
2014200360.tif 000002
【特許請求の範囲】
【請求項１】
人の肌に塗布する化粧剤が収納された化粧剤収納部と、
化粧剤塗布部が先端に設けられ、前記化粧剤収納部に螺着された化粧剤塗布器と、
ブラシが先端に設けられ、前記化粧剤収納部に圧入されたブラシ部と、
を有することを特徴とする化粧剤塗布装置。
【請求項２】
前記化粧剤収納器の先端に設けられた化粧剤塗布部は、ラバースポンジ、又は布、又は樹脂、又は紙で構成されていることを特徴とする請求項１に記載の化粧剤塗布装置。
【請求項３】
前記化粧剤収納部に収納された化粧剤はアイブロウの為の化粧剤であることを特徴とする請求項１、又は２に記載の化粧剤塗布装置。
【請求項４】
前記化粧剤収納部に前記化粧剤塗布器を螺着した際、前記化粧剤収納部を開口し、前記化粧剤収納部に収納された化粧剤を前記化粧剤塗布器に導くことを特徴とする請求項１、２、又は３に記載の化粧剤塗布装置。
【発明の詳細な説明】
【技術分野】
【０００１】
本発明は、利用者の眉毛に眉墨を塗布するアイブロウに関し、特にアイブロウに使用する化粧品塗布装置に関する。
【背景技術】
【０００２】
今日多くの化粧品が販売されており、例えばアイブロウ、リップグロス、マスカラ、リップライナー、コンシーラ、ファンデーション、アイシャドー等の化粧剤が化粧品ユニットに収納され、販売されている。化粧品ユニットは、液体や粉状のパウダーを保管する容器であり、塗布器を使用して利用者の頬や眉毛等に化粧品ユニットに収納されたパウダーや液状化粧剤を塗る。
【０００３】
特許文献１に係る発明は、１つの化粧品塗布器によって異なる化粧剤が収納された複数の化粧品ユニットに使用可能なマルチ化粧品塗布器を提案する。
【先行技術文献】
【特許文献】
【０００４】
【特許文献１】特表２０１１−５２７５９７号公報
【発明の概要】
【発明が解決しようとする課題】
【０００５】
しかしながら、例えば眉毛に眉墨を塗布するアイブロウの場合、塗布器の先端に設けられたれたスポンジを利用者の眉毛に直接当て、化粧剤を塗布する。そして、ブラシを使用して、希望するラインに整える。しかし、人によっては他人が使ったアイブロウの使用を嫌う。また、上記特許文献１に記載されたマルチ化粧品塗布器についても同様であり、１つの化粧品塗布器を複数の化粧品ユニットに使用するものであり、複数人が同じ化粧品塗布器を使用することは好ましくない。
【０００６】
そこで、本発明は交換可能な化粧品塗布装置を提供するものであり、アイブロウに取り付けられている化粧品塗布器とブラシを交換可能とし、複数人で同じアイブロウを使用することを可能とする化粧品塗布装置を提供するものである。
【課題を解決するための手段】
【０００７】
上記課題は本発明によれば、人の肌に塗布する化粧剤が収納された化粧剤収納部と、化粧剤塗布部が先端に設けられ、前記化粧剤収納部に螺着された化粧剤塗布器と、ブラシが先端に設けられ、前記化粧剤収納部に圧入されたブラシ部と、を有する化粧剤塗布装置を提供することによって達成できる。
【０００８】
また、前記化粧剤塗布器の先端に設けられた化粧剤塗布部は、ラバースポンジ、又は布、又は樹脂、又は紙等で構成されている。
【０００９】
また、前記化粧剤収納部に前記化粧剤塗布器を螺着した際、前記化粧剤収納部を開口し、前記化粧剤収納部に収納された化粧剤を前記化粧剤塗布器に導く構成である。
【発明の効果】
【００１０】
本発明によれば、旅行等において交換用の化粧剤塗布器やブラシ部を複数携帯することによって、同じ化粧品を他の人が利用することができ、しかも他人への貸し借りも躊躇なく行うことができ、極めて便利な化粧品塗布装置を提供することができる。
【図面の簡単な説明】
【００１１】
【図１】本実施形態のアイブロウに使用する化粧品塗布装置の外観図である。
【図２】キャップを外した状態のアイブロウの外観図である。
【図３】化粧剤塗布器の近傍の外観図である。
【図４】ブラシ部の近傍の外観図である。
【図５】本体ユニットと化粧剤塗布器の接続構成を説明する模式図である。
【図６】本体ユニットとブラシ部の接続構成を説明する模式図である。
【発明を実施するための形態】
【００１２】
以下、本発明の実施形態を図面に基づいて詳細に説明する。
図１は本実施形態のアイブロウに使用する化粧品塗布装置の外観図である。本例のアイブロウ１は本体ユニット２と化粧剤塗布器３とブラシ部４で構成されている。本体ユニット２には、例えばマイカや、酸化チタン、合成金雲母、酸化スズ等を含む化粧剤が収納されている。化粧剤塗布器３は眉毛に化粧剤を塗布する際使用し、本体ユニット２に着脱可能に構成されている。ブラシ部４は化粧剤を塗布した眉毛を整える際使用し、本体ユニット２に着脱可能に構成されている。また、化粧剤塗布器３及びブラシ部４は、それぞれキャップ５及び６でカバーされている。
【００１３】
図２は上記キャップ５及び６を外した状態のアイブロウ１の外観図であり、図３は特に化粧剤塗布器３の近傍の外観図である。両図に示すように化粧剤塗布器３の先端には化粧剤塗布部８が取り付けられている。この化粧品塗布部８は、化粧剤を眉毛に直接塗布する際使用し、例えばラバースポンジや布、樹脂、紙等で構成されている。また、化粧剤塗布器３の他端には雄ねじ７が形成されている。この雄ねじ７は上記本体ユニット２に設けられた、後述する雌ねじに嵌合する構成である。
【００１４】
一方、図４は特にブラシ部４の近傍の外観図である。ブラシ部４は金属製の主軸９に柔らかな毛１０が植毛され、かつ螺旋状に植毛されている。したがって、ブラシ部４を回転させながら効率よく眉毛を整えることができるように構成されている。また、上記金属製の主軸９は基材１１に固定されており、基材１１（ブラシ部４）は本体ユニット２に圧入されている。
【００１５】
図５は本体ユニット２と化粧剤塗布器３の接続構成を説明する模式図であり、本体ユニット２には化粧剤を収納する化粧剤収納部１２が設けられ、前述の化粧剤１６が収納されている。また、化粧剤収納部１２には矢印方向に付勢力を有する蓋体１３が設けられ、化粧剤塗布器３を本体ユニット２に取り付ける際、化粧剤塗布器３に設けられた凸部１４によって開放される構成である。
【００１６】
上記のように、化粧剤塗布器３には凸部１４が形成され、化粧剤塗布器３を本体ユニット２に取り付けた際、化粧剤収納部１２を開放する構成である。すなわち、化粧剤塗布器３を本体ユニット２に取り付ける際、雄ねじ７と雌ねじ１５を螺着し、化粧剤塗布器３に設けられた凸部１４によって蓋体１３を開放し、化粧剤１６を化粧剤塗布器３側で使用可能とする。また、化粧剤塗布器３を交換する際は螺着を外し、容易に新たな化粧剤塗布器３に交換することができる。
【００１７】
一方、図６は本体ユニット２とブラシ部４の接続構成を説明する模式図である。同図に示すように、ブラシ部４は本体ユニット２に圧入して取り付けられている。すなわち、ブラシ部４の基材１１の外径を本体ユニット２の内径より少し広く形成することによってブラシ部４を本体ユニット２に圧入して取り付けることができる。
【００１８】
具体的には、ブラシ部４の基材１１の外径はＬ１であり、ブラシ部４に嵌合する本体ユニット２側の内径はＬ２で構成され、上記のように基材１１の外径Ｌ１は本体ユニット２の内径Ｌ２より少し広く形成されている。したがって、ブラシ部４を交換する際は本体ユニット２からブラシ部４を外し、新たなブラシ部４を圧入することによって、容易にブラシ部４を新しいものに交換することができる。
【００１９】
例えば、新品のアイブロウ１を購入し、始めから取り付けられている化粧剤収納器３及びブラシ部４を使用して化粧を行い、同じ利用者が使用を継続する。その後、旅行等において、他の利用者が使用する場合、スペアとして持参した化粧剤収納器３やブラシ部４を差し替え使用することができる。
【００２０】
したがって、他の利用者は躊躇なく同じ化粧品であるアイブロウを使用することができる。また、他人の使用に限らず、同じ利用者が使用を継続した場合でも、化粧剤塗布器３やブラシ部４の劣化等により化粧し辛くなった場合には新たな化粧剤塗布器３やブラシ部４に交換して使用することができる
【００２１】
このような構成により、例えば旅行等において、交換用の塗布器やブラシを複数携帯することによって、同じ化粧品を他の人が利用することができ、極めて便利な化粧品塗布装置を実現することができる。
【符号の説明】
【００２２】
１・・・アイブロウ
２・・・化粧品塗布装置
３・・・化粧剤塗布器
４・・・ブラシ部
５、６・・キャップ
７・・・雄ねじ
８・・・化粧剤塗布部
９・・・金属製の主軸
１０・・柔らかな毛
１１・・基材
１１ａ・・他端
１２・・化粧剤収納部
１３・・蓋体
１４・・凸部
１５・・雌ねじ
１６・・化粧剤
【図１】
2014200360.tif 000003
【図２】
2014200360.tif 000004
【図３】
2014200360.tif 000005
【図４】
2014200360.tif 000006
【図５】
2014200360.tif 000007
【図６】
2014200360.tif 000008